(57)【要約】【課題】クリーンルーム等の天井裏におけるメンテナンス作業が容易かつ余分な作業時間を必要としないで可能な照明器具を提供すること。【解決手段】透光板１１と、筒体１２と、一面に少なくとも照明灯１７を設けた板部材１３とにより構成され、透光板１１が筒体１２の一方の開口部にシール材１１ｓを介して組付けられ、板部材１３が前記筒体１２の他方の開口部において照明灯１７を筒体１２側に位置するように配置されるとともにシール材１４ｓを介して蝶ネジ等の締付具１４ａおよび引き寄せ錠１４ｂにより旋回開閉可能に組付けられていることを特徴とする。【選択図】    図１
2005044540.tif 000002
【特許請求の範囲】
【請求項１】
クリーンルームであって、該ルームの天井に、人が乗って作業ができる程度の強度を有するチャンネル材を敷設し、フィルタ又は天井を構成する鋼板等の板材を、該チャンネル材に載置して天井システムとし、該天井システムに、天井フレームに載置できるように照明器具取付板と一体化した照明器具を設け、該照明器具は、透光板と、筒体と、一面に少なくとも照明灯を設けた板部材とにより構成され、前記透光板が前記筒体の一方の開口部にシール材を介して組付けられ、ビス等の固定手段により固定し、前記板部材が前記筒体の他方の開口部において照明灯を筒体側に位置するように配置されるとともに蝶番により旋回開閉可能に組付けられていることを特徴とする照明器具。
【発明の詳細な説明】
【０００１】
【発明の属する技術分野】
本発明は、クリーンルーム等の天井に設けられる照明器具に関し、特に、そのメンテナンス性を改善した構造に関する。
【０００２】
【従来の技術】
室内の清浄度の維持を要求される半導体製造工場のクリーンルーム、各種の実験研究室あるいは病院の手術室等において、室の天井に設けられる照明器具は、天井の下面の透光板を取り外して、下面からランプ交換を行っていた。
【０００３】
そして、その場合、メンテナンス時、非清浄エリアの天井裏と仕切れず、クリ−ンルーム室内を汚染するため、その部分の生産を停止しなければならない場合があり、生産作業に支障を来すものである。また、天井裏と照明器具筐体を仕切れても、ランプを外すときはやはり、ランプとソケットのすれで、クリ−ンルーム室内を汚染するものである。さらに、クリ−ンルームの天井（３ｍ以上、４ｍ近い場合もある）が高くなっているため、ランプ切れのたびに、メンテナンス用の足場が必要であった。
【０００４】
そのため、メンテナンス時に室内を汚染しない取付構造が考えられている（例えば、特許文献１参照。）。
【０００５】
【特許文献１】
特開２０００−１８２４２９号公報
【０００６】
この特許文献１では、クリーンルームの天井が充分な強度を持つとともに天井裏に作業者が入って作業することが可能なスペースが存在することを利用し、天井に設けられた照明器具のメンテナンス作業を天井裏で実施可能に構成しようとするものである。
【０００７】
そして、この発明では、図２に示すように、その取付構造は、天井の照明器具取付用開口部において、天井材の開口部内周に支持フレームを設置し、透光板を設置し、その上に照明灯内蔵のボックスを設置するものである。
【０００８】
すなわち、図２において、符号２０で示すものは照明器具であり、該照明器具２０は透光板２１および１面を開放され内部に照明灯を内蔵し電源装置を装備された箱体２２により構成されている。前記照明器具２０は、天井材３の開口部内周に設置された支持フレーム４に対し、前記透光板２１が支持フレーム４の下面内周突出辺にシール材２１ｓを介して設置され、前記箱体２２が、開放面を前記透光板２１に対面させるように、支持フレーム４の中間段差部にシール材２２ｓを介して設置されている。なお、前記支持フレーム４は、前記天井材３の開口部内周に対し、シール材４ｓを介して設置されている。
【０００９】
以上のように構成され設置された照明器具２０は、メンテナンスに際し、天井裏において箱体２２を取外し、メンテナンス作業を行い、終了後元通りに設置する。この間、天井材３、支持フレーム４および透光板２１がシール材４ｓおよびシール材２１ｓにより相互に気密状態を維持され、クリーンルーム室内とメンテナンス作業を行う天井裏とが隔離されていることにより、メンテナンス作業によるクリーンルーム室内の塵芥汚染は起らない。
【００１０】
しかしながら、この特許文献１では、つぎのような課題が存在していた。すなわち、照明器具２０の箱体２２が支持フレーム４の中間段差部に設置される構造に構成されていることにより、箱体２２内部のメンテナンス作業を行うには、箱体２２を取外して付近のスペースに反転して置く必要がある。しかし、天井裏に作業者による作業スペースが存在するといえども限られたものであり、狭いスペースで箱体２２の取外しおよび取付け、作業スペースを探してのメンテナンス作業は困難であり、余分な作業時間を必要としているという欠点があった。
【００１１】
また、天井裏からランプ交換できる照明器具がある（例えば、特許文献２参照。）。
【００１２】
【特許文献２】
特開２０００−０１１７４１号公報
【００１３】
そしてこの発明では、天井裏でランプを交換できるように、器具本体（１）とランプソケットが固定された上蓋とを分離し、上蓋を本体に蝶番を用いて片側止めて開閉できるようにしてある。
しかし、この発明は、器具本体（１）を取付金具（２）を介してボルト（５）で天井上スラブから吊る構造のものであり、天井材とは別に吊っていて、天井材との接合は枠（１０）の上部を下から押しつけている構造であり、非清浄空間である天井裏と清浄空間である天井下との防塵シールをすることができない。また天井に設置するフィルタと容易に設置場所が交換できず、できたとしてもその作業に時間を要し、煩雑である。設置場所交換作業には、天井材下に灯具を引き抜くことから、室内側の作業者と天井側の作業者の連携作業をする必要が有り、クリ−ンルームの天井が高い場合には、室内側の作業者のために、メンテナンス用の足場を必要とするものである。
【００１４】
【発明が解決しようとする課題】
そこでこの発明は、従来例の欠点を除去し、余分な作業時間を必要とせず、クリーンルーム等の天井裏におけるメンテナンス作業が容易かつ余分な作業時間を必要としないで可能なクリーンルームにおける照明器具を提供することを目的とする。
【００１５】
【課題を解決するための手段】
本発明によるクリーンルームにおける照明器具は、クリーンルームであって、該ルームの天井に、人が乗って作業ができる程度の強度を有するチャンネル材を敷設し、フィルタ又は天井を構成する鋼板等の板材を、該チャンネル材に載置して天井システムとし、該天井システムに、天井フレームに載置できるように照明器具取付板と一体化した照明器具を設け、該照明器具は、透光板と、筒体と、一面に少なくとも照明灯を設けた板部材とにより構成され、前記透光板が前記筒体の一方の開口部にシール材を介して組付けられ、ビス等の固定手段により固定し、前記板部材が前記筒体の他方の開口部において照明灯を筒体側に位置するように配置されるとともに蝶番により旋回開閉可能に組付けられていることを特徴とする。
【００１６】
【発明の実施の形態】
以下、図面とともに本発明による照明器具の好適な実施の形態について詳細に説明する。図１は本発明による照明器具を示す断面図である。図１において、符号１０で示すものは照明器具であり、該照明器具１０は透光板１１、筒体１２および板部材１３により構成されている。該板部材１３は一面に支持台１５を設けられ、支持台１５の表面には２本の照明灯（通常、棒状蛍光灯）１７および照明灯１７の両外側に反射板１６が図の奥行方向に配置して組付けられ、支持台１５の内部には電源装置等の機器部品が収納されている。なお、図１では２本の前記照明灯１７が示されているが２本に限定されるものではなく、１本または３本以上の複数本でもよい。前記反射板１６は形式により必須の部材要素ではない。前記板部材１３は前記照明灯１７を組付けられる場合は通常矩形形状の板状部材に構成されている。
【００１７】
前記筒体１２は前記板部材１３に組付けられた前記照明灯１７等を収納可能な短い長さ（高さ）の筒体であり、軸直角方向の筒断面形状が板部材１３の平面形状に合せて矩形に構成されている。前記透光板１１は前記筒体１２の矩形形状の開口部を被う矩形形状に構成されている。前記板部材１３は前記筒体１２の他方（図１において上側）の開口端部において、前記照明灯１７等を組付けた面が筒体１２の内面を構成するように開口部を被い、一方の長尺辺（図１の左側奥行方向の辺）において蝶番１４により旋回開閉可能に組付けられている。前記透光板１１は透光可能な板材であり、前記筒体１２の一方（図１において下側）の開口端部をシール材１１ｓを介して気密状態に被うことが可能なように構成されている。
【００１８】
すなわち、前記透光板１１、前記筒体１２および前記板部材１３により構成される前記照明器具１０は、天井を構成するチャンネル材１にシール材１ｓを介して気密状態に組付けられた照明器具組付板２の開口２ａにおいて、透光板１１が照明器具組付板２の室内側（図１における下側）にシール材１１ｓを介して組付けられ、筒体１２が一方の開口端部を照明器具組付板２の室外側（図１における上側、天井裏側）にシール材１２ｓを介して組付けられている。また、前記蝶番１４により前記筒体１２の他方の開口端部に組付けられた前記板部材１３は、両部材間にシール材１３ｓを介して気密状態に閉じ、少なくとも蝶番１４と対向する他方の長尺辺（図１の右側奥行方向の辺）において、蝶ネジ等の締付具１４ａおよび引き寄せ錠１４ｂにより締め付け固定される。尚、１４ｓはシール材である。
【００１９】
なお、図１に示す構成では前記透光板１１と前記筒体１２とが前記照明器具組付板２を介して組付けられているが、透光板１１が筒体１２へ直接組付けられ、筒体１２が照明器具組付板２へ組付けられてもよい。このような構成では前記筒体１２と前記板部材１３との間に設けられる前記シール材１３ｓ、図１に示す構成では前記照明器具組付板２と筒体１２との間に設けられる前記シール材１２ｓおよび筒体１２と板部材１３との間に設けられるシール材１３ｓは、設けられることが望ましいが、防塵に対する必須の部材ではない。また、前記筒体１２が開口形状を矩形形状に構成され、合せて前記筒体１２および前記板部材１３も矩形形状に構成された場合について説明したが、筒体１２の開口形状が矩形形状に限定されるものではなく、円形、楕円形、多角形等の形状に構成されてもよい。
【００２０】
以上のように構成された照明器具１０において、例えば照明灯１７の交換するメンテナンス作業を行う場合は、まず、締付具１４ａを分解し、引き寄せ錠１４ｂを外し、板部材１３の締付具１４ａを分解した側を持上げ、蝶番１４を支点として（図１において反時計方向に）旋回反転させる。その結果、照明灯１７が筒体１２の外部に現れ、照明灯１７が板部材１３の上面に位置する状態となる。照明灯１７が筒体１２の外部に現れた状態で照明灯１７を交換する。その後、板部材１３の締付具１４ａを分解した側を持上げ、蝶番１４を支点として（図１において時計方向に）旋回反転させる。その結果、照明灯１７が筒体１２の内部に収まり、板部材１３が筒体１２の開口端部を被った状態となり、引き寄せ錠１４ｂを止め、締付具１４ａを締付けてメンテナンス作業を終了する。なお、透光板１１が照明器具組付板２とシール材１１ｓを介して組付けられていることにより、照明器具組付板２の開口２ａにおいて室内側と天井裏側とが気密状態に仕切られており、天井裏の作業による塵埃の発生が室内へ影響することはない。
【００２１】
【発明の効果】
本発明によるクリーンルームにおける照明器具は以上のように構成されていることにより、以下のような効果を得ることができる。
すなわち、クリーンルームであって、該ルームの天井に、人が乗って作業ができる程度の強度を有するチャンネル材を敷設し、フィルタ又は天井を構成する鋼板等の板材を、該チャンネル材に載置して天井システムとし、該天井システムに、天井フレームに載置できるように照明器具取付板と一体化した照明器具を設けることにより、天井裏から作業者が照明灯の交換が安全に行うこうができる。
【００２２】
また、この照明器具には、従来例のように、吊り部材がないため、天井に設置するフィルタ（上部にファンユニットがある）と容易に設置場所が交換できて、設置自由度が高い。
【００２３】
さらに、この発明によると、照明器具が透光板と、筒体と、一面に少なくとも照明灯を設けた板部材とにより構成され、透光板が筒体の一方の開口部にシール材を介して組付けられ、板部材が筒体の他方の開口部において照明灯を筒体側に位置するように配置されるとともに蝶番により旋回開閉可能に組付けられていることにより、照明器具のメンテナンス箇所が容易に反転して現われる。従って、作業スペースを探す必要もなく、メンテナンス作業が容易かつ必要最小限の時間で実施できるようになった等、極めて有益なる効果を奏する。
【図面の簡単な説明】
【図１】本発明による照明器具を示す断面図である。
【図２】従来の照明器具を示す断面図である。
【符号の説明】
１            天井を構成するチャンネル材
２            照明器具組付板
２ａ        開口
３            天井材
４            支持フレーム
４ｓ        シール材
１０            （本発明の）照明器具
１１            （本発明の）透光板
１１ｓ        シール材
１２            筒体
１２ｓ        シール材
１３            板部材
１３ｓ        シール材
１４            蝶番
１４ａ        締付具
１４ｂ    引き寄せ錠
１４ｓ    シール材
１５            支持台
１６            反射板
１７            照明灯
２０            （従来の）照明器具
２１            （従来の）透光板
２１ｓ        シール材
２２            箱体
２２ｓ        シール材
【図１】
2005044540.tif 000003
【図２】
2005044540.tif 000004